(57)【要約】【課題】現金機との間で遊技媒体供給皿の共用化が図れコストを低減でき、カード残度数を多彩な方法で遊技者に報知できるカード式遊技機を提供する。【解決手段】主制御装置２１、図柄表示装置６及び遊技媒体払出制御装置２２を有する遊技機本体Ａと、遊技媒体貸し機Ｂとを備えるカード式遊技機において、遊技媒体貸し機Ｂから遊技媒体払出制御装置２２に送られてきたカード残度数表示信号Ｓ２を遊技媒体払出制御装置２２から主制御装置２１に転送する転送手段２８，２９を設ける。この転送手段２８，２９により転送されてきたカード残度数表示信号Ｓ２に基づいてカード残度数を図柄表示装置６に画像表示させるように主制御装置２１を構成した。【選択図】        図２
2004337220.tif 000002
【特許請求の範囲】
【請求項１】
遊技機本体と遊技媒体貸し機とを備え、前記遊技機本体は、主制御装置と、該主制御装置から信号を受けて各種画像を表示する図柄表示装置と、前記主制御装置から信号を受けて合成音声を含む各種効果音を発生する効果音発生装置と、前記主制御装置から信号を受けて遊技媒体の払出制御を行う遊技媒体払出制御装置とを備えてなり、
前記遊技媒体貸し機にプリペイドカードが挿入され、遊技媒体貸し操作がされることにより、該遊技媒体貸し機から前記遊技媒体払出制御装置にカード残度数表示信号を含む遊技媒体貸し信号が出力されて、所定数の遊技媒体が遊技機本体に供給されるカード式遊技機において、
前記遊技媒体貸し機から前記遊技媒体払出制御装置に送られてきたカード残度数表示信号を該遊技媒体払出制御装置から前記主制御装置に転送する転送手段を備え、
前記主制御装置は、該転送手段により転送されてきたカード残度数表示信号に基づいて、カード残度数を、前記図柄表示装置に画像表示、及び／又は前記効果音発生装置により音声により報知させることを特徴とするカード式遊技機。
【請求項２】
請求項１に記載の発明において、転送手段は、ハンドシェーク通信を用いた送信手段であることを特徴とするカード式遊技機。
【発明の詳細な説明】
【０００１】
【発明の属する技術分野】
本発明は、プリペイドカード（以下、カードと略記する。）によって遊技球、メダル等の遊技媒体を貸し出し、遊技を行うカード式遊技機に関するものである。
【０００２】
【従来の技術】
近年、遊技機、特にパチンコ機においては、玉貸しを現金によって行うパチンコ機（いわゆる現金機）から、カードによって行うカード式パチンコ機（いわゆるＣＲ機）への移行がめざましい。
この種のパチンコ機は、玉貸し機にカードが挿入され、玉貸し操作がされることにより、所定数の遊技球が玉貸し機からパチンコ機本体の受け皿に供給され、そのまま遊技を開始できる。すなわち、遊技者は、現金機におけるような玉の持ち運びや移し換えをすることなく、遊技を開始できる。
しかも、カード式パチンコ機においては、始めに一定額のカードを購入しておき、その前払い額を数回に分けて使うこともでき、現金機における、現金をその都度取り出さなければならないという手間も省ける。
玉貸し機には、カードのこのような使い方を考慮して、カードが挿入されたときにそのカードの残度数（カード残度数。カード残高とも称される。）を表示させる機能を有している。
このカード残度数の表示は、カード式パチンコ機においては、従来、パチンコ機本体の玉供給皿（受け皿）に設けられた７セグメント表示器を用いた表示装置により行っている（例えば特許文献１参照）。
【０００３】
【特許文献１】
特開平５−１５６５９号公報
【０００４】
【発明が解決しようとする課題】
しかしながら上記従来技術では、カード残度数の表示に当たり専用の表示装置（報知装置）が必要となり、遊技機のコストアップを引き起こすという問題点があった。
パチンコ機の場合、ほぼ同じ外観、デザインを現金機とカード式パチンコ機（ＣＲ機）に施し、同時期に出荷することがある。このような場合に、現金機の玉供給皿にはカード残度数表示装置を取り付けず、カード式パチンコ機の玉供給皿（受け皿）にはカード残度数表示装置を取り付けるということになると、同じ玉供給皿を作成し、組み付ける場合に比べてコスト高になった。
また、７セグメント表示器を用いた表示装置では、数字表示でのみカード残度数表示をできるに過ぎなかった。
【０００５】
本発明は、上記従来技術の問題点を解消するためになされたもので、カード残度数の報知に当たって専用の装置が不要となり、特に、現金機との間で遊技媒体供給皿（受け皿）の共用化が図れ、ＣＲ機と現金機で受け皿部の部品共用化率が高まり、コスト低減効果が期待できるカード式遊技機を提供することを目的とする。
【０００６】
【課題を解決するための手段】
上記目的を達成するために、請求項１に記載の発明は、遊技機本体と遊技媒体貸し機とを備え、前記遊技機本体は、主制御装置と、該主制御装置から信号を受けて各種画像を表示する図柄表示装置と、前記主制御装置から信号を受けて合成音声を含む各種効果音を発生する効果音発生装置と、前記主制御装置から信号を受けて遊技媒体の払出制御を行う遊技媒体払出制御装置とを備えてなり、前記遊技媒体貸し機にプリペイドカードが挿入され、遊技媒体貸し操作がされることにより、該遊技媒体貸し機から前記遊技媒体払出制御装置にカード残度数表示信号を含む遊技媒体貸し信号が出力されて、所定数の遊技媒体が遊技機本体に供給されるカード式遊技機において、前記遊技媒体貸し機から前記遊技媒体払出制御装置に送られてきたカード残度数表示信号を該遊技媒体払出制御装置から前記主制御装置に転送する転送手段を備え、前記主制御装置は、該転送手段により転送されてきたカード残度数表示信号に基づいて、カード残度数を、前記図柄表示装置に画像表示、及び／又は前記効果音発生装置により音声により報知させることを特徴とする。
【０００７】
請求項２に記載の発明は、請求項１に記載の発明において、転送手段は、ハンドシェーク通信を用いた送信手段であることを特徴とする。
【０００８】
【発明の実施の形態】
以下、本発明の実施の形態を図面に基づき説明する。なお、各図間において、同一符号は同一又は相当部分を示す。
図１は、本発明が適用されたカード式パチンコ機（いわゆるＣＲ機）の一実施形態を示す正面図である。
図示するように、カード式パチンコ機は、パチンコ機本体Ａと玉貸し機（カードユニット）Ｂとを備えてなる。
【０００９】
ここで、パチンコ機本体Ａは、次のように構成されている。
すなわち、遊技盤面１上には、遊技球（図示せず）を遊技領域２に誘導する誘導路３を形成する内，外レール４，５が弧状に取り付けられている。上記盤面１上の内，外レール４，５の内側（遊技領域２）には、種々の盤面部品、例えば図柄表示装置６、図柄始動入賞口７、通常の入賞口８、大入賞口９、風車１０、ランプ１１等が設けられている。なお、入賞口というときは入賞口を備える入賞口構成部品をも意味する。
【００１０】
また、盤面１上のレール４，５内側の最下部には、入賞しなかった遊技球が入球するアウト口１２が設けられ、更に、上記各部品６〜１１やアウト口１２を避けた適宜箇所には、多数の遊技釘１３（一部のみ図示）が打ち込まれている。
盤面１は透明ガラス板（図示せず）により覆われ、遊技球の遊技領域２からの離脱が防止される。
【００１１】
盤面１の下方には、遊技球の受け皿（玉供給皿）１４と遊技球を発射するためのハンドル１５が設けられている。このハンドル１５は、遊技者が握って回動させることにより遊技球発射装置（図示せず）を起動させ、上記受け皿１４内の遊技球（図示せず）を遊技領域２内に打ち込むことが可能である。
【００１２】
玉貸し機Ｂは、パチンコ機本体Ａの例えば左側に隣接設置される。この玉貸し機Ｂは、カード挿入口１６からカード（図示せず）が挿入され、パチンコ機本体Ａの操作部１７によって玉貸し操作されることにより、後述賞球払出制御装置にカード残度数表示信号を含む玉貸し信号を出力し、上記玉貸し操作とカード残度数に応じた数の遊技球（貸し玉）をパチンコ機本体Ａの受け皿１４に供給する装置である。この際、玉貸し機Ｂは、カードの残度数（残高）読取りや遊技中の残度数管理を行う。
なお、玉貸し機Ｂで読み取られたカードの残度数（カード残度数）は、後述するように、図柄表示装置６の表示画面６ａの隅部等に設定されたカード残度数表示領域６ｂに、数字等によって表示される。
【００１３】
図２は、図１に示したカード式パチンコ機の要部の一例を示すブロック図である。
本発明に係るカード式パチンコ機においても、基本的には通常のカード式パチンコ機と同様に構成されている。すなわち、図１中の入賞口７〜９への入賞を検出するセンサ、このセンサ等からの信号によりパチンコ機全体を制御する主制御装置、この主制御装置により制御されて各種演出、賞球払出し等を行う図柄表示、効果音発生、ランプ制御あるいは賞球払出制御等を行う各種装置を備えているが、ここでは本発明に係る部分のみを図示している。
【００１４】
すなわち図２において、２１は主制御装置であって、上述したように図柄表示装置６、賞球払出制御装置２２等を制御する。
具体的には、主制御装置２１は、図１中の入賞口７〜９への入賞をセンサが検出したときに、入賞を検出した入賞口７〜９に応じた賞球払出制御信号（コマンド）Ｓ１を賞球払出制御装置２２に送り、同装置２２に、所定数の賞球を受け皿１４（図１参照）に供給する賞球払出動作をさせる。
また主制御装置２１は、図１中の図柄始動入賞口７に遊技球が入賞したときに行う大当たり抽選の結果等に応じたコマンドを図柄表示装置６に送り、そのコマンドに応じた、各種図柄の変動表示、予告表示、あるいは大当たり時の演出画像表示等の動作をその図柄表示装置６に行わせる。本発明においては、カード残度数表示もこの図柄表示装置６に行わせる。
【００１５】
ここで、上記主制御装置２１と賞球払出制御装置２２とは、８ビットのデータ線２３で接続されていて双方向通信が可能である。すなわち、データ線２３は各装置２１，２２内の双方向バスバッファ２４，２５に接続されており、各々外部の装置２２，２１からのデータ（信号）の入出力が可能となっている。なお２６，２７は、各装置２１，２２内のデータバスである。
【００１６】
例えば、主制御装置２１から賞球払出制御装置２２に向けて賞球払出制御信号Ｓ１の送信をするときは、主制御装置２１のＣＰＵ２８からのＣＳ（チップセレクト）２信号により双方向バスバッファ２４をアクティブ状態にすると共に、Ｒ／Ｗ（リード／ライト）信号により同バッファ２４をライト状態にする。これによれば、主制御装置２１のＣＰＵ２８のデータバス信号（賞球払出制御信号Ｓ１）は、自身の双方向バスバッファ２４から外部装置、ここでは賞球払出制御装置２２に出力される。
一方、賞球払出制御装置２２のＣＰＵ２９は、そのＣＳ１信号により双方向バスバッファ２５をアクティブ状態にすると共に、Ｒ／Ｗ（リード／ライト）信号により同バッファ２５をリード状態にする。これによれば、主制御装置２１からの上記賞球払出制御信号Ｓ１は賞球払出制御装置２２の双方向バスバッファ２５からデータバス２７を介してＣＰＵ２９に取り込まれ、ＣＰＵ２９は賞球払出制御を行う。
【００１７】
逆に、主制御装置２１が賞球払出制御装置２２からの信号、例えばカード残度数表示信号Ｓ２を受信するときは、主制御装置２１のＣＰＵ２８からのＣＳ２信号により双方向バスバッファ２４をアクティブ状態にすると共に、Ｒ／Ｗ（リード／ライト）信号により同バッファ２４をリード状態にする。
一方、賞球払出制御装置２２のＣＰＵ２９は、そのＣＳ１信号により双方向バスバッファ２５をアクティブ状態にすると共に、Ｒ／Ｗ（リード／ライト）信号により同バッファ２５をライト状態にする。
これによれば、賞球払出制御装置２２からの信号Ｓ２は上記データ線２３上に送信され、主制御装置２１の双方向バスバッファ２４及びデータバス２６を順に介してＣＰＵ２８に取り込まれる。
【００１８】
ここで、主制御装置２１及び賞球払出制御装置２２相互の通信状態を確認せずにいずれか一方から他方に送信しようとすると、両装置２１，２２のＣＰＵ２８，２９の処理速度の違いにより、他方、つまり受信側で正しく受信できないことがある。そこで図示例では、通信制御用にストローブ信号とビジー信号を設定して、両装置２１，２２における通信状態を確認してから送信する、いわゆるハンドシェーク通信を行う。
【００１９】
以下、このハンドシェーク通信について図３を併用して説明する。
図２に示す例では、ストローブ信号Ｓ３，Ｓ４が、各々データバス２６，２７に接続されている出力バッファ３０，３１を介して外部装置（装置２２，２１）に出力されるように回路構成されている。また、ビジー信号Ｓ５，Ｓ６が、データバス２６，２７に接続されている入力バッファ３２，３３を介して自装置２１，２２のＣＰＵ２８，２９に取り込まれるように回路構成されており、以下の（１）〜（５）に示す通信手順を経てデータ送信を行うように構成されている。
（１）まず、送信側（装置２１又は２２、ここでは装置２２）は、送信データ（信号）をＣＰＵ２９からデータバス２７（双方向バスバッファ２５）に出力した後、ストローブ信号Ｓ４をオンにする（図３中、期間Ｔ１参照）。
（２）受信側（装置２２又は２１、ここでは装置２１）は、入力バッファ３２にてビジー信号Ｓ５がオンになっていることを検知した後、ストローブ信号Ｓ３をオンにすると共に、送信データをデータバス２６（双方向バスバッファ２４）からＣＰＵ２８に取り込む（図３中、期間Ｔ２参照）。
（３）送信側はビジー信号Ｓ６のオンを入力バッファ３３にて検知した後、ストローブ信号Ｓ４をオフにする（図３中、期間Ｔ３参照）。
（４）受信側では、上記送信データの受信（ＣＰＵ２８への取込み）が完了したら、送信側からのストローブ信号Ｓ４がオフになったことを、入力バッファ３２にてビジー信号Ｓ５がオフになっていることにより確認した後、ストローブ信号Ｓ３を元（オフ）に戻す（図３中、期間Ｔ４参照）。
（５）送信側は、受信側からのストローブ信号Ｓ３がオフになったことを、入力バッファ３３にてビジー信号Ｓ６がオフになっていることにより確認できた時点で、次のデータの送信に移る（図３中、期間Ｔ５参照）。
以上（１）〜（５）に示す通信手順に従えば、相手側の処理を待ってからでなければ次の手順に進まないので、両装置２１，２２のＣＰＵ２８，２９の処理速度が大きく異なっていても、何ら支障なくデータの送受信が可能となる。
また、主制御装置２１をマスタ側、賞球払出制御装置２２をスレーブ側に設定しておき、マスタ側である主制御装置２１から送信許可コマンドがあるまで、スレーブ側である賞球払出制御装置２２は送信できないように、両装置２１，２２間で取り決めておけば、両装置２１，２２が同時に送信を開始することによる通信の衝突を避けることができる。
【００２０】
本発明においては、賞球払出制御装置２２は、玉貸し機Ｂからのカード残度数表示信号Ｓ２をデータ線２３を介して主制御装置２１に転送する。転送手段としては、ここでは賞球払出制御装置２２及び主制御装置２１（ＣＰＵ２８，２９）の協働作用による上述ハンドシェーク通信を適用した送信手段が用いられている。
なお、玉貸し機Ｂからのカード残度数表示信号Ｓ２は、通常、７セグメントＬＥＤを直接ダイナミック点灯させる仕様を前提としている。このため、カード残度数表示信号Ｓ２は、電圧レベルを変換、ここでは１８Ｖを５Ｖに降圧変換する回路（図示せず）を介して賞球払出制御装置２２の入力バッファ３４に与えられ、データバス２７を介してＣＰＵ２９に取り込まれる。
【００２１】
また、賞球払出制御装置２２から主制御装置２１に転送されたカード残度数表示信号（データ）Ｓ２は、主制御装置２１の双方向バスバッファ２４を介して同装置２１のＣＰＵ２８に取り込まれる。
主制御装置２１は、取り込まれたカード残度数表示信号Ｓ２の内容、すなわちカード残度数を、予め定められたカード残度数表示コマンドとして出力バッファ３５を介して図柄表示装置６に送信し、その表示画面６ａの、例えば図２に示すように右下隅部のカード残度数表示領域６ｂに数字表示される。図２においては、カード残度数が１５００円分あることが表示されている。
図柄表示装置６は、遊技演出の多様化に応えるために表現能力の高い液晶表示装置の使用が主流になっているので、これを図柄表示装置６に使用した場合にはカード残度数表示の形態は単に数字表示するのではなく、より多彩な方法で表現できる。したがって数字表示に代え、例えば図４に示すように円形のアナログメータを摸した形態で、上記カード残度数表示領域６ｂにてカード残度数表示を行うことも容易である。
【００２２】
上述したように、主制御装置２１と賞球払出制御装置２２とは双方向通信が可能である。また図柄表示装置６は、遊技演出等のために主制御装置２１からのコマンドに基づいて各種図柄の変動表示等、種々の画像を表示する機能が与えられており、主制御装置２１との間の通信手段を備えている。
したがって、本発明においては、新たな部品、装置を付加することなく、カード残度数を図柄表示装置６により表示させることが可能である。勿論、遊技球の受け皿（玉供給皿）１４に表示装置を付加する必要もなく、ＣＲ機と現金機で受け皿部の部品共用化率が高まり、コスト低減効果が期待できる。
【００２３】
なお上述実施形態では、カード残度数の報知を図柄表示装置により行う（視覚的に報知する）ように構成したが、図柄表示装置と同様に主制御装置に接続され、この主制御装置により制御される効果音発生装置を用いてカード残度数の報知を行うようにしてもよい。この場合は、効果音発生装置で生成される合成音声によりカード残度数の報知が行われる（聴覚的に報知される）。
図柄表示装置及び効果音発生装置を共に用い、視覚的にも聴覚的にも報知されるようにしてもよい。合成音声によりカード残度数を報知する場合でも、男性の声、女性の声、高い声、低い声等々、多彩な方法で遊技者にカード残度数を報知できる。
【００２４】
また上述実施形態では、本発明をパチンコ機に適用した場合について述べたが、パチンコ機以外の遊技機に適用してもよい。例えば、メダル（コイン）貸し機にプリペイドカードが挿入され、メダル貸し操作されることにより所定数のメダルが遊技機本体に供給されるカード式のパチスロ機等に適用してもよい。なお、この場合も、メダル貸し操作されることによりメダル貸し機からメダル払出制御装置にカード残度数表示信号を含むメダル貸し信号が出力されることを要する。
【００２５】
【発明の効果】
以上述べたように本発明（請求項１）によれば、ＣＲ機と現金機で受け皿部の部品共用化率が高まり、コスト低減効果が期待できる。しかも、カード残度数を多彩な方法で遊技者に報知できるという効果もある。
また請求項２の発明によれば、請求項１の発明における転送手段に、ハンドシェーク通信を用いたので、主制御装置及び賞球払出制御装置の各処理速度間に大差があっても、何ら支障なくデータの送受信が可能になるという効果もある。
【図面の簡単な説明】
【図１】本発明が適用されたカード式パチンコ機の一実施形態を示す正面図である。
【図２】同上パチンコ機の要部の一例を示すブロック図である。
【図３】同上パチンコ機の主制御装置及び賞球払出制御装置の相互間通信を説明するための信号波形図である。
【図４】カード残度数表示の他の例を示す図である。
【符号の説明】
Ａ  パチンコ機本体（遊技機本体）
Ｂ  玉貸し機（遊技媒体貸し機）
６    図柄表示装置
６ａ  表示画面
６ｂ  カード残度数表示領域
１６  カード挿入口
１７  玉貸し操作部
２１  主制御装置
２２  賞球払出制御装置
２８，２９  ＣＰＵ（転送手段）
【図１】
2004337220.tif 000003
【図２】
2004337220.tif 000004
【図３】
2004337220.tif 000005
【図４】
2004337220.tif 000006